(57)【要約】【課題】書類を綴じるため、従来は、パンチ穴を開ける作業と補強シールを貼る作業は別々に行っており、台紙に貼られたシールをその都度、剥がし、パンチ穴につける方法が一般的であった。【解決手段】書類に綴じるためのパンチ穴を開け、続いて、その穴の補強に補強シールを貼る操作を、補強シールを貼る工程とパンチ穴を開ける工程、操作を戻す工程からなる１回の押し戻りの操作だけで行うことにより、誰でも簡単にパンチ穴を開けると同時に補強シールを貼ることができるパンチ穴あけ器を提供する。【選択図】図１
2006315105.tif 000002
【特許請求の範囲】
【請求項１】
書類に綴じるためのパンチ穴を開け、その穴の補強に補強シールを貼る操作を、補強シールを貼る工程とパンチ穴を開ける工程、操作を戻す工程からなる１回の押し戻りの操作だけで行うことを特徴とするパンチ穴あけ器。
【請求項２】
パンチ穴を開ける軸棒の周りにシールを積層したシールカートリッジをはめ込む構造になっており、上部を手で押すことにより、パンチの軸棒が下がり、書類に穴が開く第一段階、そのまま、さらに押し込むことにより、続いて、シールカートリッジが下がり、書類に押し付けられ、シールの糊面で、書類にシールが１枚だけ貼る第二段階、押すのを止めると、付けていたスプリングで、軸棒とシールカートリッジが上に戻される第三段階を１回の押し戻りの操作で行うことを特徴とする請求項１記載のパンチ穴あけ器。
【請求項３】
パンチ穴を開ける軸棒の周りにシールを積層したシールカートリッジをはめ込む構造になっており、上部を手で押すことにより、シールカートリッジが下がり、書類に押し付けられ、シールの糊面で、書類にシールが１枚だけ貼る第一段階、そのまま、さらに押し込むことにより、続いて、パンチの軸棒が下がり、書類に穴が開く第二段階、押すのを止めると、付けていたスプリングで、軸棒とシールカートリッジが上に戻される第三段階を１回の押し戻りの操作で行うことを特徴とする請求項１記載のパンチ穴あけ器。
【請求項４】
ここで用いるシールカートリッジは、下片面が糊部になっている粘着性シールが整然と積層された、竹輪状の中が空いている円筒になっており、シールカートリッジは、パンチ穴を開ける軸棒に通した構造になっていることを特徴とする請求項１記載のパンチ穴あけ器。
【発明の詳細な説明】
【技術分野】
【０００１】
この発明は、書類に綴じ穴を開け、その穴の補強に補強シールを貼る作業を、一連の押し戻りの操作で行うパンチ穴あけ器に関する。
【背景技術】
【０００２】
従来は、パンチ穴を開ける作業と補強シールを貼る作業は別々に行っており、台紙に貼られたシールをその都度、剥がし、パンチ穴につける方法が一般的であった。
【発明の開示】
【発明が解決しようとする課題】
【０００３】
しかしながら、以上の方法によれば、シールを１枚ずつ、剥がし、パンチ穴部へ貼り付けるので、時間がかかり、うまく穴上に貼れない場合ある。時には、貼りなおしにより、書類を傷めることもある。
【０００４】
そこで、この発明は、誰でも簡単にパンチ穴を開けると同時に補強シールを貼ることができるパンチ穴あけ器を提供することを課題とする。
【課題を解決するための手段】
【０００５】
以上の課題を解決するために、パンチ穴を開ける軸棒の周りにシールを積層したシールカートリッジをはめ込み、上部を手で押すことにより、パンチ穴が開き、そのまま、さらに押し込むことによりシールが貼れるようにしたパンチ穴あけ器、あるいは、先に、シールが貼れるようにし、その後、パンチ穴が開くようにしたパンチ穴あけ器を考案した。
【０００６】
従来からあるパンチ穴を開ける軸棒の周りにシールを積層したシールカートリッジをはめ込む構造になっている。軸棒の上部を押し込むことにより、シールカートリッジが下がり、書類に押し付けられ、シールの糊面で、書類にシールが１枚だけ貼ることができる。
【０００７】
続いて、そのまま、さらに押し込むことにより、パンチの軸棒が下がり、書類にパンチ穴が開く。
【０００８】
押すのを止めると、上部の引き上げようのスプリングで、軸棒とシールカートリッジが上に戻される。こうして、１回の押し戻りの操作で、誰でも簡単にパンチ穴を開けると同時に補強シールを貼ることができる。
【０００９】
ここで用いるシールは、簡単に破れない強度の化学合成フィルムや紙質から出来ており、５円玉のように円形で中に、パンチ穴と同径の穴が開いていて、その裏面には糊部があり、粘着性を持っている。一旦、書類などに押し付けられると、中々剥がれない接着剤がコーティングされていることが好ましい。
【００１０】
また、シールカートリッジは、上述のシールが整然と積層された、竹輪状の中が空いている円筒になっている。シールカートリッジは、パンチ穴を開ける軸棒に通した構造になっている。シールカートリッジは積層されたシールと内部スプリングからなり、押し付け圧力の強さが調整できる構造になっている。
【００１１】
シールカートリッジカバーにシールカートリッジを取り替える場合は、支柱を倒し、新しいシールカートリッジを取り付ける方法や側面から取り外しできるような方法があるが、これらに限定するものではない。
【発明の効果】
【００１２】
以上の説明から明らかのように、１回の押し戻りの操作で、誰でも簡単にパンチ穴を開けると同時に補強シールを貼ることができるパンチ穴あけ器を考案することができた。特に、多くの書類にこのような作業する場合に、効果を発揮することができる。
【発明を実施するための最良の形態】
【００１３】
以下、この発明の実施形態を、図に基づいて詳細に説明する。
【００１４】
図１に示すように、この発明の一実施形態に係るパンチ穴あけ器は、パンチ穴軸棒（１）、軸棒操作レバー（２）、軸棒固定支持台（３）、シールカートリッジカバーのスプリング（５）、シールカートリッジ（６）、台座（７）、軸棒操作レバー引き上げ用スプリング（８）、支柱（９）、軸棒操作レバー留具（１０）、パンチ穴軸棒留具（１１）、支柱留具（１２）、パンチ穴軸棒の穴あけ刃先（１３）からなっている。
【００１５】
図１の中の円（４）は、パンチ穴軸棒とシールカートリッジの断面を表す。また、図１の中のＡ−Ａ‘の線での断面は、図２の中の円（４）に示す。
【００１６】
まず、綴じる書類を台座（７）の上に乗せ、パンチ穴を開けるところの位置決めをする。次に、軸棒操作レバー（２）を引き下げる。軸棒に取り付けられたシールカートリッジ（６）が下がり、書類に押し付けられ、シールの糊面で、書類に最下部のシールが１枚だけ貼られる。
【００１７】
続いて、そのまま、さらに押し込むことにより、シールカートリッジ（６）は、シールカートリッジカバーのスプリング（５）で、押し上げられ、他方、パンチ穴の軸棒（１）が下がり、その刃先（１３）で書類にパンチ穴が開く。
【００１８】
押すのを止めると、上部の軸棒操作レバー引き上げ用スプリング（８）で、軸棒操作レバー（２）が、引き上げられ、軸棒（１）とシールカートリッジ（６）が上に戻される。こうして、１回の押し戻りの操作で、誰でも簡単にパンチ穴を開けると同時に補強シールを貼ることができる。
【００１９】
シールカートリッジカバー（５）にシールカートリッジ（６）を取り替える場合は、図３に示すように、支柱（９）を倒し、新しいシールカートリッジ（６）を取り付ける。
【図面の簡単な説明】
【００２０】
【図１】この発明の実施形態を示す側面の模式図である。
【図２】この発明の実施形態を示す正面の模式図である。
【図３】台座の上に綴じる紙を置いた第一段階の模式図である。
【図４】軸棒操作レバーが押され、シールが張り付いた第二段階の模式図である。
【図５】さらに軸棒操作レバーが押され、パンチ穴が開いた第三段階の模式図である。
【図６】軸棒操作レバーが戻された第四段階の模式図である。
【図７】シールカートリッジを取り替える場合を示す模式図である。
【符号の説明】
【００２１】
パンチ穴軸棒（１）、軸棒操作レバー（２）、軸棒固定支持台（３）、シールカートリッジカバー及びそのスプリング（５）、積層されたシールのカートリッジ（６）、台座（７）、軸棒操作レバー引き上げ用スプリング（８）、支柱（９）、軸棒操作レバー留具（１０）、パンチ穴軸棒留具（１１）、支柱留具（１２）、パンチ穴軸棒の穴あけ刃先（１３）。
【図１】
2006315105.tif 000003
【図２】
2006315105.tif 000004
【図３】
2006315105.tif 000005
【図４】
2006315105.tif 000006
【図５】
2006315105.tif 000007
【図６】
2006315105.tif 000008
【図７】
2006315105.tif 000009